(57)【特許請求の範囲】
【請求項１】
灯具本体と、地面から立設され前記灯具本体を支持するポールと、を有する街路灯であって、
前記灯具本体は、前記ポールの頂部に固定される取付け金具と、前記取付け金具に設けた複数本の脚と、複数本の脚に支持され、光を水平方向から下側に所定の範囲照射する環状光源と、複数本の脚の間の空間内であって環状光源の中央に配置され、前記ポールの近傍を照射する中央光源と、を備え、
前記環状光源は、複数の光源と、当該光源から下方に放射される光を前記環状光源の径方向に向けて照射するとともに前記範囲に照射する反射鏡と、を備える
ことを特徴とする街路灯。
【請求項２】
前記環状光源の複数の光源は、周方向に所定間隔で配置され、前記反射鏡は、前記光源に個々に設けられることを特徴とする請求項１に記載の街路灯。
【請求項３】
前記取付け金具から延びる前記複数の脚は、前記環状光源を略水平に支持し、前記環状光源から環状中央に向けて複数のアームを延ばして前記中央光源を支持したことを特徴とする請求項１または２に記載の街路灯。
【請求項４】
前記中央光源と、前記環状光源の間に、前記中央光源の発光と、前記環状光源の発光とを分離する大きさの隙間を設けたことを特徴とする請求項１から３のいずれかに記載の街路灯。
【請求項５】
前記ポールから延びる電線を前記環状光源から延びる前記アームを通して前記中央光源に配線したことを特徴とする請求項３または４に記載の街路灯。
【請求項６】
前記中央光源と、前記環状光源と、を選択的に点灯可能としたことを特徴とする請求項１から５のいずれかに記載の街路灯。
【発明の詳細な説明】
【技術分野】
【０００１】
本発明は、ＬＥＤ光源を備えた街路灯に関する。
【背景技術】
【０００２】
近年のＬＥＤ光源の高出力化、長寿命化に伴い、ＬＥＤ光源を光源に採用した照明器具が普及しつつある。光源を納めた灯具本体を屋外に立設したポールに支持して地面を照明する街路灯においても例外ではなく、光源にＬＥＤ光源を採用したＬＥＤ街路灯が各種提案されている（例えば、特許文献１参照）。
光源にＬＥＤ光源を採用したＬＥＤ街路灯では、例えば蛍光形水銀ランプと同等の明るさを得るためには、多数のＬＥＤ光源を灯具に取り付ける必要があるとともに、ＬＥＤ光源からの熱を放熱させる必要があり、灯具が大型化し、意匠性に制限があった。そのため、器具本体を枠状に形成し、少ない数のＬＥＤ光源で広範囲の配光を得ることで灯具のコンパクト化を図るＬＥＤ照明器具が提案されている（例えば、特許文献２参照）。
【先行技術文献】
【特許文献】
【０００３】
【特許文献１】特開２００８−２１８１８２号公報
【特許文献２】特開２０１０−１７０９５４号公報
【発明の概要】
【発明が解決しようとする課題】
【０００４】
しかしながら、広範囲の配光を得るために、ＬＥＤ光源がポールから径方向の外側に離れた位置に設けられるため、ポール近傍では最低限の照度を確保することができず暗くなってしまう等、蛍光形水銀ランプと同等の配光を得ることができなかった。
本発明は、上述した事情に鑑みてなされたものであり、所望の照度及び配光を得ることができるＬＥＤ光源を備える街路灯を提供することを目的とする。
【課題を解決するための手段】
【０００５】
上記目的を達成するために、本発明は、灯具本体と、地面から立設され前記灯具本体を支持するポールと、を有する街路灯であって、前記灯具本体は、前記ポールの頂部に固定される取付け金具と、前記取付け金具に設けた複数本の脚と、複数本の脚に支持され、光を水平方向から下側に所定の範囲照射する環状光源と、複数本の脚の間の空間内であって環状光源の中央に配置され、前記ポールの近傍を照射する中央光源と、を備え、前記環状光源は、複数の光源と、当該光源から下方に放射される光を前記環状光源の径方向に向けて照射するとともに前記範囲に照射する反射鏡と、を備えることを特徴とする。
また、本発明は、上記街路灯において、前記環状光源の複数の光源は、周方向に所定間隔で配置され、前記反射鏡は、前記光源に個々に設けられることを特徴とする。
【０００６】
また、本発明は、上記街路灯において、前記取付け金具から延びる前記複数の脚は、前記環状光源を略水平に支持し、前記環状光源から環状中央に向けて複数のアームを延ばして前記中央光源を支持したことを特徴とする。
【０００７】
また、本発明は、上記街路灯において、前記中央光源と、前記環状光源の間に、前記中央光源の発光と、前記環状光源の発光とを分離する大きさの隙間を設けたことを特徴とする。
【０００８】
また、本発明は、上記街路灯において、前記ポールから延びる電線を前記環状光源から延びる前記アームを通して前記中央光源に配線したことを特徴とする。
【０００９】
また、本発明は、上記街路灯において、前記中央光源と、前記環状光源と、を選択的に点灯可能としたことを特徴とする。
【発明の効果】
【００１０】
本発明によれば、灯具本体と、地面から立設され前記灯具本体を支持するポールと、を有する街路灯であって、前記灯具本体は、前記ポールに支持される環状光源と、この環状光源の中央に配置される中央光源と、を備えるため、中央光源の発光でポールの近傍を、環状光源の発光で広範囲を照らすなど、ＬＥＤ光源を用いて所望の照度及び配光を得ることができる。
【図面の簡単な説明】
【００１１】
【図１】本発明の実施形態に係る街路灯の構成を示す図である。
【図２】街路灯の点灯パターンを示す図である。
【図３】街路灯の平面視図である。
【図４】灯具本体の全てのグローブを外した状態の下面図である。
【図５】環状光源のグローブの一部を外した状態の灯具本体の下面図である。
【図６】環状光源の断面図である。
【図７】環状光源のＬＥＤユニットを示す分解斜視図である。
【発明を実施するための形態】
【００１２】
以下、本発明の実施の形態を、図面を参照しながら説明する。なお、以下の説明において、上下等の方向は設置状態に対応する方向である。
図１は、本構成に係る街路灯１の構成を示すであり、図１（Ａ）は上面斜視図、図１（Ｂ）は下面斜視図である。街路灯１は、灯具本体２が、屋外の地面に立設されるポール３の頂部３Ａに当該ポール３と同軸に固定されて備えられる。灯具本体２は、ポール３の頂部３Ａに挿入固定される筒状の取付金具４を備え、この取付金具４に設けた三脚５に光源６を支持している。光源６は、三脚５に支持された平面視円環上の環状光源（第２の光源）２０と、この環状光源２０の中央に３本のアーム３０を介して支持された中央光源（第１の光源）１０と、を備える。
【００１３】
街路灯１は、図２に示すように、中央光源１０と、環状光源２０と、を選択的に点灯させることができ、例えば、図２（Ａ）に示したように、中央光源１０、及び、環状光源２０の両方を点灯させる点灯パターンＡ、或いは、図２（Ｂ）に示したように、中央光源１０のみを点灯させる点灯パターンＢを、時間や季節等に応じて使い分けることができる。街路灯１は、図２に示した点灯パターン以外にも様々な点灯パターンで点灯可能に構成され、中央光源１０と、環状光源２０との調光を別々に制御することも可能である。この構成によれば、街路灯１は、中央光源１０と、環状光源２０と、の点灯、減光、消灯を別々に制御することで、多くの明るさのバリエーションを備えることができ、周囲の明るさ、時間帯、使用用途に対応させて用いることができる。これにより、深夜など人の往来が少ない時間帯には、中央光源１０と、環状光源２０と、の点灯、減光、消灯を各々制御して明るさを落とし、省エネルギー化を図ることができる。
【００１４】
また、中央光源１０と、環状光源２０の点灯、減光、消灯を別々に制御することができるため、万が一に一方の光源が故障などによって点灯しなくなった場合でも、他方の光源を正常に点灯させて用いることができる。
また、街路灯１は、中央光源１０と環状光源２０の２つの光源の光色を、電球色、白色、青色、緑色等の任意の光色にそれぞれ変えることができ、街路灯１の設置場所や使用用途に対応させて用いることができる。
【００１５】
以下、街路灯１の構成について詳述する。
街路灯１は、図１に示すように、ポール３に灯具本体２を支持し、灯具本体２の光源６を点灯させて地面を照射する。ポール３は、図示は省略したが、灯具本体２に光源を点灯する電力を供給する安定器などを備えるとともに、中空に形成されて、灯具本体２に電力を供給する電線が、このポール３の中空部を介して灯具本体２に配線される。灯具本体２は、光源６を支持する三脚５、及び、中央光源１０を支持するアーム３０共に、アルミ合金などを用いて、鋳造によって中空形状に形成され、ポール３の中空部を介して灯具本体２に配線される電線は、三脚５、及び、アーム３０の内部を通って、環状光源２０、及び、中央光源１０に配線される。この構成によれば、電線を街路灯１の外側からは見えないように意匠性を損なうことなく、配線させることができる。
【００１６】
中央光源１０は、図３に示すように、ポール３の軸心を中心とする平面視円形状の光源であり、環状光源２０は、中央光源１０の周囲を囲む平面視円環状の光源である。光源６は、中央光源１０と、環状光源２０との間に隙間Ｓを備える。隙間Ｓは、中央光源１０、及び、環状光源２０を共に点灯させたときに、中央光源１０の発光と、環状光源２０の発光と、が分離して見える程度の大きさに構成されている。この隙間Ｓは、街路灯１の寸法に応じて１０ｍｍ〜１２０ｍｍの間で適宜の大きさに形成される。また、光源６は、隙間Ｓと、環状光源２０の外周／内周間の幅Ｗと、の比率が１：２以上開くように構成されている。
【００１７】
中央光源１０は、図１に示すように、円錐台形状の第１光源支持体１１と、この第１光源支持体１１に固定されて下方に延びる逆円錐台形状の第１グローブ１２と、を備える。第１光源支持体１１は、放熱性に優れたアルミ合金などを用いて、鋳造などによって形成され、下底が開放する中空形状に形成されている。第１光源支持体１１の上底１１Ａには、下面、つまり第１光源支持体１１の内側に、詳細は後述するＬＥＤユニット１３が熱的に接続されて固定されている。また、第１光源支持体１１は、下底１１Ｂの縁に周方向に沿って略垂直に下方に垂れる覆部１６を備える。
【００１８】
第１グローブ１２は、強度性に優れたポリカーボネート樹脂等から形成され、上底が第１光源支持体１１の下底と略同径に形成されるとともに、上底が開放する中空形状に形成される。また、第１グローブ１２は、側面の傾斜角度が、三脚５の各脚の開き角度と略同じ角度に形成されている。第１グローブ１２の内側には、図示は省略したが、円錐面に沿ってボス部が複数設けられる。中央光源１０は、第１光源支持体１１にＬＥＤユニット１３を支持させて固定し、第１光源支持体１１を、覆部１６で第１グローブ１２の上底の縁を囲むようにして、第１グローブ１２に被せて構成される。この構成によれば、雨水などが第１光源支持体１１と、第１グローブ１２との間から中央光源１０の内部に入り込むのを覆部１６で覆って防止することができる。
【００１９】
第１光源支持体１１の円錐面には、第１グローブ１２の内側に形成された不図示のボス部に対応する位置に、ねじ孔１９が設けられる。第１光源支持体１１と、第１グローブ１２とは、このねじ孔１９及び、ボス部に第１光源支持体１１の上方から通されるねじ１８で固定される。この構成によれば、ねじ１８は、第１光源支持体１１の上方からねじ孔１９を介して、第１グローブ１２の内側に形成されたボス部に螺合されるため、灯具本体２をポール３に支持した状態で、第１光源支持体１１と、第１グローブ１２とを固定するボス部１７、ねじ１８、ねじ孔１９等の固定構造が、図１（Ｂ）に示すように、地面から見えることがなく、街路灯１の意匠性を損なうことがない。
【００２０】
環状光源２０は、ポール３の軸心を中心とする環状の光源であり、リング体２１と、このリング体２１に着脱自在に設けられる第２グローブ２２と、を備える。環状光源２０は、ポール３の頂部３Ａから延びる複数の脚（三脚）５で、略水平に支持される。各脚５は、ポール３の軸心から所定の開き角度で、環状光源２０の外周側に向かって延びる。
リング体２１は、環状光源２０の上部側を形成し、放熱性に優れたアルミ合金などを用いて、鋳造などによって形成される。リング体２１の下面には、詳細は後述する第２ＬＥＤユニット２８が熱的に接続されて固定されている。
【００２１】
リング体２１には、図１（Ａ）に示すように、三脚５をリング体２１の上方から固定するねじ２６が通されるねじ孔が形成されている。リング体２１の内周側２３には、複数の放熱フィン２４がルーレット状に設けられる。放熱フィン２４は、環状光源２０の下側、或いは、外周側からは、見えないように構成されている。この構成によれば、環状光源２０が備える後述の第２ＬＥＤユニットから発する熱を、放熱フィン２４を介して放熱させることができる。また、放熱フィン２４は、図１（Ｂ）に示すように、環状光源２０の下側、或いは、外周側からは見えない構成としたため、放熱フィン２４を外側にむき出しの状態で備えても、街路灯１の意匠性を損なうことがない。
【００２２】
また、放熱フィン２４は、リング体２１の上面の内周側２３に設けられており、中央光源１０と、環状光源２０との間には隙間Ｓが設けられているため、隙間Ｓから、中央光源１０と、環状光源２０との間に風が通り、これにより、隙間Ｓを通った風で放熱フィン２４から効率良く熱を放熱させることができる。
また、リング体２１の内周側２３からは、上述のアーム３０が互いに等間隔に環状中央に向かって延びている。リング体２１の外周側、及び、内周側の縁には、略垂直に下方に垂れる被部２５が設けられる。
【００２３】
第２グローブ２２は、環状光源２０の下部側を形成し、強度性に優れたポリカーボネート樹脂等から形成される。第２グローブ２２は、三脚５の各脚の間に取り付け可能に少なくとも３つのグローブ部材２２Ａ，２２Ｂ，２２Ｃに分割されている。各グローブ部材２２Ａ，２２Ｂ，２２Ｃは、上端部がリング体２１の被部２５の内側に配置されて、三脚５の各脚の間にそれぞれ固定される。また、第２グローブ２２は、図１（Ａ）に示すように、リング体２１の上方からねじ２７で固定可能に構成されている。この構成によれば、第２グローブ２２の上端を被部２５で覆うことができるため、リング体２１と、第２グローブ２２の間の隙間から雨水などが環状光源２０の内部に侵入するのを防止することができる。また、第２グローブ２２をリング体２１に固定するねじ２７等の固定構造を環状光源２０の下方からは見えないようにすることができ、街路灯１の意匠性を損なうことがない。
【００２４】
図４は、第１グローブ１２，及び、第２グローブ２２を取り外した状態の灯具本体２の下面図である。図４に示すように、中央光源１０の第１光源支持体１１の下面には、ＬＥＤユニット１３が固定されている。ＬＥＤユニット１３は、円板状の回路基板であるＬＥＤ基板１４の上に略同心円状に等距離間隔で４つのＬＥＤ１５が配置されている。なお、このＬＥＤ基板１４上に配置するＬＥＤ１５の数、及び配列は、必要な照度が確保され、また照度ムラが生じないような配列であれば任意の配列とすることができる。ＬＥＤ１５は、ＬＥＤ取付治具１５ＡによってＬＥＤ基板１４に固定される。中央光源１０は、このように、反射鏡を用いず、ＬＥＤ１５から放射される直射光及び拡散光で、街路灯１周囲を照らす。例えば、深夜など人の往来が少ない時間帯等に街路灯１の明るさを落として省エネルギー性を高める場合には、中央光源１０のみを発光させることができ、中央光源１０は、発光面が大きいため、調光時でも街路灯１の周囲の明るさをキープすることができる。
【００２５】
環状光源２０のリング体２１の下面２１Ａには、三脚５が固定されている。三脚５は、リング体２１と同様に放熱性に優れたアルミ合金の鋳造等で形成され、三脚５の不図示の取付面は、リング体２１の下面２１Ａに当接させて取り付けられている。また、下面２１Ａには、第２ＬＥＤユニット２８が固定されている。第２ＬＥＤユニット２８は、３つに分割されており、各ＬＥＤユニット２８Ａ，２８Ｂ，２８Ｃは、それぞれ三脚５の各脚間に配置される。なお、第２グローブ２２は、図５に示すように、各グローブ部材２２Ａ，２２Ｂ，２２Ｃがそれぞれ別々に着脱自在に設けられ、各ＬＥＤユニット２８Ａ，２８Ｂ，２８Ｃのメンテナンス時には、グローブ部材２２Ａ，２２Ｂ，２２Ｃのうち、対応するグローブだけを取り外して作業を行うことができる。
【００２６】
図６、図７は、環状光源２０および環状光源２０のＬＥＤユニット２８を示す図であり、以下に、図６、図７を用いて環状光源２０の構成について詳述する。
環状光源２０は、断面ひし型形状に形成される。これにより、環状光源２０が受ける風圧荷重の軽減と、軽量化を図ることができる。また、表面についた雨や塵埃などが流れやすくなるため、汚れを防止することができる。
リング体２１は、断面三角形に形成され、下面２１Ａが、水平面に対して略平行に形成される。また、リング体２１の内周側２３には、上述した放熱フィン２４がリング体２１に一体に設けられている。
【００２７】
下面２１Ａには、第２ＬＥＤユニット２８が取り付けられる。第２ＬＥＤユニット２８は、後述するＬＥＤ基板３１が、水平面に略平行な下面２１Ａに水平に熱的に接続されて取り付けられる。第２ＬＥＤユニット２８は、直下に光を放射するＬＥＤ３２を備える。第２ＬＥＤユニット２８からの発熱は、ＬＥＤ基板３１を介してリング体２１に伝熱され、リング体２１の表面から外気に放熱される。リング体２１には、上述のように、放熱フィン２４が設けられているため、放熱性が向上され、第２ＬＥＤユニット２８からの発熱を、リング体２１から効率よく放熱させることができる。さらに、この放熱フィン２４は、断面ひし形の環状光源２０の上部内周側２３に設けられるため、放熱フィン２４は、街路灯１からの距離にかかわらず、街路からは見えないように配置することができ、意匠性を損なうことなく、環状光源２０の放熱性を高めることができる。
【００２８】
各ＬＥＤユニット２８Ａ，２８Ｂ，２８Ｃは、リング体２１の形状に沿った板状の回路基板であるＬＥＤ基板３１の上に周方向に等距離間隔で４つのＬＥＤ３２が配置されている。なお、このＬＥＤ基板３１上に配置するＬＥＤ３２の数、及び配列は、必要な照度が確保され、また照度ムラが生じないような配列であれば任意の配列とすることができる。ＬＥＤ３２は、接着シート３２ＡによってＬＥＤ基板３１に接着されると共に、ＬＥＤ取付治具３４によってＬＥＤ基板３１に固定される。
【００２９】
ＬＥＤ取付治具３４は、略矩形に形成されて、略中央には、ＬＥＤ３２が配置される開口を備える。ＬＥＤ取付治具３４には、２本の脚部３４Ａが設けられ、各脚部３４Ａは、互いに対角線上に設けられる。ＬＥＤ基板３１には、予めこの脚部３４Ａに対応する位置に孔３７が設けられ、脚部３４Ａを孔３７に挿入してＬＥＤ３２をＬＥＤ基板３１に固定する。また、ＬＥＤ基板３１には、各ＬＥＤ３２に個々に設けられる反射鏡３５が取り付けられる。
【００３０】
反射鏡３５は、ＬＥＤ３２から直下に放射される光を環状光源２０の径方向に向けて照射する。反射鏡３５は、ＬＥＤ３２が放射する光を水平方向Ｈ、及び、水平方向Ｈから下側に所定の範囲αに照射するように構成されている。環状光源２０は、このように、反射鏡３５を用いて、ＬＥＤ３２から放射される光を任意の方向に直接照射し、街路灯１の比較的遠くを狙って照らす。
反射鏡３５は、ＬＥＤ３２が放射する光を所定の方向に照射する反射体３５Ａと、反射体３５Ａを狙った位置に配置して、ＬＥＤ基板３１に固定する取付部３５Ｂと、を一体に備える。取付部３５Ｂには、ＬＥＤ基板３１に対して反射鏡３５の位置決めを行う位置決めピン３５Ｃが設けられる。位置決めピン３５Ｃは、図示は省略するが、先端にフック等が形成されており、反射鏡３５は、この位置決めピン３５Ｃを、ＬＥＤ基板３１に予め設けられた反射鏡固定孔３８に挿入することで、スナップフィットによってＬＥＤ基板３１に固定される。反射鏡３５は、スナップフィットによってＬＥＤ基板３１に固定される構成の他に、ねじで固定される等、別の方法で固定される構成であっても良い。
【００３１】
反射鏡３５は、ＬＥＤ３２から直下に放射される光を環状光源２０の径方向に向けて照射する第１のポジション３８Ａの他に、この第１のポジション３８Ａから時計回り、或いは、半時計回りに略９０度水平方向にずらした第２のポジション３８Ｂ，或いは、第３のポジション３８Ｃに取り付け可能に構成されている。ＬＥＤ基板３１には、各ポジション３８Ａ，３８Ｂ，３８Ｃに対応する位置に、反射鏡固定孔３８が設けられている。このように、反射鏡３５は、ＬＥＤ３２を中心に首を振るようにして、異なる３つのポジション３８Ａ，３８Ｂ，３８Ｃに固定することができる。そのため、反射鏡３５の位置決めピン３５Ｃを、ＬＥＤ３２から放射される光を向けたい方向に合わせて所定の反射鏡固定孔３８に差し込むだけで、複数の反射鏡３５のそれぞれ向きを任意の方向に向けることができ、街路灯１の配光を簡単に変えることができる。
【００３２】
以上説明したように、本発明を適用した実施形態によれば、灯具本体２と、地面から立設され灯具本体２を支持するポール３と、を有する街路灯１０であって、灯具本体２は、ポール３に支持される環状光源２０と、この環状光源２０の中央に配置される中央光源１０と、を備える。これにより、例えば、中央光源１０の発光でポール３の近傍を、環状光源２０の発光で広範囲を照らすことができ、所望の照度及び配光を得ることができる。
【００３３】
また、本発明を適用した実施形態によれば、ポール３の頂部から複数の脚５を延ばして環状光源２０を略水平に支持し、環状光源２０から環状中央に向けて複数のアーム３０を延ばして中央光源１０を支持したため、ポール３の頂部から、外側に広がった状態で取り付けられる環状光源２０をポール３に複数の脚５で安定して支持することができ、環状光源２０の風圧荷重に対する強度を高めることができる。また、中央光源１０を、環状光源２０から環状中央に向けて延ばした複数のアーム３０で支持するため、中央光源１０をポール３から離して、環状光源２０に安定して支持することができる。
【００３４】
また、本発明を適用した実施形態によれば、中央光源１０と、環状光源２０の間に、中央光源１０の発光と、環状光源２０の発光とを分離する大きさの隙間Ｓを設けたため、風をこの隙間Ｓを通して流す事ができ、光源６に係る風荷重を低減させることができる。また、中央光源１０、及び、環状光源２０を点灯させた際には、中央光源１０からの発光と、環状光源２０からの発光と、が分離し、中央光源１０があたかも空中に浮いているかのように見えるため、街路灯１の点灯時の意匠性を向上することができる。
【００３５】
また、本発明を適用した実施形態によれば、ポール３から延びる電線を環状光源２０から延びるアーム３０を通して中央光源１０に配線したため、中央光源１０と、環状光源２０との間に隙間Ｓを設けても、中央光源１０への電線を、街路灯１の外側からは見えないように配線することができ、街路灯１の意匠性を損なうことがない。
【００３６】
また、本発明を適用した実施形態によれば、中央光源１０と、環状光源２０と、を選択的に点灯可能としたため、例えば時間帯に応じて、中央光源１０と、環状光源２０との点灯パターンを変えることができる。そのため、例えば深夜などの人の往来が少ない時間には、中央光源１０のみを点灯させる等で、街路灯１の明るさを落とすことができ、街路灯１の省エネルギー性を向上することができる。
【００３７】
以上、実施形態に基づいて本発明を説明したが、本発明はこれに限定されるものではない。本実施形態では、中央光源１０は、平面視円形状の光源であり、環状光源２０は、中央光源１０を囲む平面視円環状の光源である構成としたが、これに限らず、中央光源１０、環状光源２０の形状については、円形／円環状の他に、各々が別の形状、或いは、同一の形状の三角形や四角形等の多角形／角環状に形成されていても良い。
【符号の説明】
【００３８】
１  街路灯
２  灯具本体
３  ポール
６  光源
１０  中央光源
２０  環状光源
３０  アーム
Ｓ  隙間
【図１】
0005780073.tif 000002
【図３】
0005780073.tif 000003
【図４】
0005780073.tif 000004
【図５】
0005780073.tif 000005
【図６】
0005780073.tif 000006
【図７】
0005780073.tif 000007
【図２】
0005780073.tif 000008